(57)【特許請求の範囲】
【請求項１】
紙葉類を収納する供給手段と、この供給手段から前記紙葉類を分離する分離手段と、この分離手段により分離された前記紙葉類を搬送する搬送手段と、前記紙葉類の記号を読み取る読み取り手段と、前記紙葉類の間隔を測定する間隔測定手段と、前記紙葉類の間隔を調整する間隔調整手段と、前記紙葉類の搬送経路を分ける区分搬送手段と、これら区分搬送手段に沿って配置され前記紙葉類を収納する区分棚とを備えた紙葉類の仕分け装置において、
前記間隔測定手段を複数設け、各間隔測定手段の間で変化した前記紙葉類の間隔と前記紙葉類の前後の紙葉類に収納される区分棚と前記区分搬送手段の紙葉類間隔変動特性から求め記憶されている目標間隔補正値に基づいて前記間隔調整手段で調整をするとともに、前記紙葉類の前後の間隔を加算した値より前後の目標間隔を加算した値の方が大きいときでも前の目標間隔を確保できるときは前の目標間隔を確保し、前の目標間隔を確保できないときは後ろの紙葉類と衝突しない間隔に紙葉類の前の間隔を拡げるようにした紙葉類の仕分け装置。
【請求項２】
前記搬送手段に第１及び第２の間隔測定手段を、前記区分搬送手段に第３の間隔測定手段を、前記区分棚に第４の間隔測定手段をそれぞれ設け、これら第１〜第４間隔測定手段の検出結果から前記区分搬送手段の紙葉類間隔変動特性を自動的に演算し、前記目標間隔補正値を自動的に修正する請求項１に記載の紙葉類の仕分け装置。
【発明の詳細な説明】
【０００１】
【発明の属する技術分野】
本発明は、紙葉類を各紙葉類ごとに表示された区分記号に基づいて搬送する紙葉類の搬送装置、及び仕分けする紙葉類の仕分け装置に関するものである。
【０００２】
【従来の技術】
例えば、はがき、封書などの郵便物をそれぞれに表示された郵便番号、バーコードあるいは宛先などの区分記号に基づいて仕分けするために、紙葉類の仕分け装置が用いられている。
【０００３】
このような紙葉類の仕分け装置では、搬送装置で搬送される各紙葉類が、その厚さや材質により、搬送装置を構成するベルトとの摩擦や搬送方向変換部における流れ易さに差が発生するため、区分搬送手段あるいは区分棚に到達するまでに前後の紙葉類の間隔が変動することがある。すると、各ゲートの開閉タイミングが紙葉類の到達タイミングとずれるため、紙葉類を所定の区分搬送手段や区分棚に導入できない不具合が発生する。
【０００４】
このような不具合を解決するものとして、例えば、特公平８―０１８７２８号公報に開示された紙葉類の搬送装置が提案されている。この搬送装置は、紙葉類を一定の速度で搬送する固定速度搬送手段と、任意の速度で搬送する変速搬送手段と、固定搬送手段で搬送されている紙葉類の間隔を検出する間隔検出手段と、変速搬送手段で搬送される紙葉類の位置を検出する位置検出手段と、各検出手段の出力に基づいて変速搬送手段の搬送速度を制御する制御部とを設けたものである。
【０００５】
そして、間隔検出手段で固定速度搬送手段により順次搬送されてくる紙葉類の間隔を検出し、近接して搬送されてきた紙葉類の間隔を仕分けに必要な間隔に修正するようにしている。
【０００６】
【発明が解決しようとする課題】
しかし、供給手段から区分搬送手段の入口までの搬送距離と、区分搬送手段の入口から最終の区分棚までの搬送距離がほぼ同じ距離であった場合、供給手段から区分搬送手段の入口までで生じた紙葉類の間隔の変化が、区分搬送手段の入口から最終の区分棚までに発生することになり、紙葉類の間隔を修正する手段を区分搬送手段の入口に到達する前に設置しても、区分棚に搬送された段階では従来と同様の不具合が発生することになる。
【０００７】
本発明の目的は、上記の事情に鑑み、その紙葉類が収納される区分棚の位置で適正な間隔を維持し得るようにし、処理能力と信頼性を向上させた紙葉類の仕分け装置を提供することにある。
【０００８】
【課題を解決するための手段】
上記目的は、紙葉類を収納する供給手段と、この供給手段から前記紙葉類を分離する分離手段と、この分離手段により分離された前記紙葉類を搬送する搬送手段と、前記紙葉類の記号を読み取る読み取り手段と、前記紙葉類の間隔を測定する間隔測定手段と、前記紙葉類の間隔を調整する間隔調整手段と、前記紙葉類の搬送経路を分ける区分搬送手段と、これら区分搬送手段に沿って配置され前記紙葉類を収納する区分棚とを備えた紙葉類の仕分け装置において、
前記間隔測定手段を複数設け、各間隔測定手段の間で変化した前記紙葉類の間隔と前記紙葉類の前後の紙葉類に収納される区分棚と前記区分搬送手段の紙葉類間隔変動特性から求め記憶されている目標間隔補正値に基づいて前記間隔調整手段で調整をするとともに、前記紙葉類の前後の間隔を加算した値より前後の目標間隔を加算した値の方が大きいときでも前の目標間隔を確保できるときは前の目標間隔を確保し、前の目標間隔を確保できないときは後ろの紙葉類と衝突しない間隔に紙葉類の前の間隔を拡げるようにしたことにより達成される。
【０００９】
また上記目的は、前記搬送手段に第１及び第２の間隔測定手段を、前記区分搬送手段に第３の間隔測定手段を、前記区分棚に第４の間隔測定手段をそれぞれ設け、これら第１〜第４間隔測定手段の検出結果から前記区分搬送手段の紙葉類間隔変動特性を自動的に演算し、前記目標間隔補正値を自動的に修正することにより達成される。
【００１３】
【発明の実施の形態】
以下、本発明の紙葉類の仕分け装置を郵便区分機に適用した場合の実施例を図面を用いて説明する。
【００１４】
図１は本実施例の仕分け装置の斜視図、図２は制御系統図、図３は図１における間隔調整手段の構成図、図４は間隔調整の状態を示す特性図である。
【００１５】
図１において、供給手段１は複数の紙葉類（はがき、封書等の書状）２を収納している。分離手段４は、電動機（図示せず）で駆動される真空吸着ベルトにより供給手段１の排出口にある紙葉類２を一通ずつ分離して取り出す。
【００１６】
搬送手段７は、所定の位置に配置された複数のプーリ２０と、このプーリ２０にかけ回され一定速度で走行するように直列に配置された複数のベルトにより構成され、分離手段４で分離された紙葉類２の搬送を行う。各ベルトは、紙葉類２をその両側から挟持するように対で構成されている。
【００１７】
検知手段５は、搬送手段７で搬送される紙葉類２の重送、曲げ剛性（硬さ）、厚さなどを検出する。搬送手段７に沿って配置される搬送ゲート２３は、紙葉類２の搬送経路を切り替える。リジェクトボックス２４は、検知手段５からの信号に基づく搬送ゲート２３の開閉により搬送手段７から排出された重送もしくは規定値を越える紙葉類２を回収する。
【００１８】
整位部３は、搬送手段７で搬送される紙葉類２に表示された区分記号が所定の経路を移動するように、紙葉類２のスキューやシフトを修正する。宛名読み取り部９ａは紙葉類２に表示された郵便番号や宛名を読み取り、バーコード読み取り部９ｂは紙葉類２に表示されたバーコードを読み取る。インクジェットプリンタ２２は、宛名読み取り部９ａで読み取られた情報に基づいて、バーコードが表示されていない紙葉類２にバーコードを印刷し、バーコード読み取り部９ｃでバーコードを読み取る。
【００１９】
第１の間隔測定センサ２１Ａは、搬送手段７の上流側に紙葉類２の搬送経路を挟んで配置された投光器と受光器からなる光電センサで構成され、紙葉類２がセンサの光軸を横切ることによりＯＮ，ＯＦＦ信号を発信する。
【００２０】
第２の間隔測定センサ２１Ｂは、第１の間隔測定センサ２１Ａと同様の構成であり、第１の間隔測定センサよりも下流側（後に説明する区分棚側）に設置される。
【００２１】
間隔調整手段１０は、図３に示すように構成されている。ローラ３０は、それぞれ搬送手段７の一部を構成する上流側のベルト７ａと下流側のベルト７ｂの間に配置され、サーボモータ（図示せず）によって駆動される。ピンチローラ３１は、軸３３に揺動可能に支持された揺動アーム３２に一端に回動可能に支持され、ばね３４によってローラ３０に所定の力で押しつけられている。
【００２２】
ローラ３０の設置位置を、紙葉類２が上流側のベルト７ａによる挟持が開放される位置とローラ３０、３１で紙葉類２を挟持する位置の間の距離をＬ１、ローラ３０、３１による挟持が開放される位置と下流側のベルト７ｂが紙葉類２を挟持する位置の間の距離をＬ２とし、紙葉類の仕分け装置で取り扱う紙葉類２の最小寸法をＬminとした時、Ｌmin>Ｌ１、Ｌmin>Ｌ２とすれば、搬送される紙葉類２は、常にベルト７ａまたはローラ３０、３１またはベルト７ｂに挟持され、安定した搬送を行うことができる。
【００２３】
段パスゲート２５は、搬送手段７の下流に配置されている。区分搬送手段１６（１６Ａ乃至１６Ｈ）は、段パスゲート２５の開閉により振り分けられた紙葉類２を搬送する。区分棚１１は、区分搬送手段１６Ａ乃至１６Ｈに沿ってそれぞれ複数個ずつ配置され、それぞれに対応するゲート１６ａ（図２参照）の開閉により紙葉類２を受け入れる。リジェクト用区分棚１１Ａは、各区分搬送手段１６Ａ乃至１６Ｈの下流端に配置されている。
【００２４】
段パスゲート２５直後に第３の間隔測定センサ１５０を、区分搬送手段１６の最下流側の区分棚（番号２０）の直前に第４の間隔測定センサ１５１を区分搬送手段１６の設ける。これら第３及び第４の間隔測定センサの役割については後述する。
【００２５】
図２において、供給制御手段６８は、供給手段１に収納された紙葉類２の先頭が所定の位置に位置するように制御する。分離制御手段７０は、分離手段４を制御して、搬送手段７に送り込む紙葉類２の間隔を制御する。
【００２６】
第１の間隔測定手段７１は、間隔測定センサ２１ＡからのＯＮ、ＯＦＦ信号から、前後して搬送される紙葉類２間の間隔を測定する。第２の間隔測定手段７２は、間隔測定センサ２１ＢからのＯＮ、ＯＦＦ信号から、前後して搬送される紙葉類２間の間隔を測定する。第３、第４の間隔測定センサ１５０、１５１の測定原理も第１、第２の間隔測定センサ２１Ａ、２１Ｂのそれと同じである。
【００２７】
搬送間隔記憶部６９は、第１の間隔測定手段７１及び第２の間隔測定手段７２の測定結果を記憶し出力する。区分情報入力手段７３は、読み取り手段９（宛名読み取り部９ａ、バーコード読み取り部９ｂもしくはバーコード読み取り部９ｃ）で読み取られた紙葉類２の区分情報を記憶し出力する。
【００２８】
間隔制御手段６７は、間隔調整手段１０を制御して前後して搬送される紙葉類２の間隔を制御する。振り分け制御手段６１は、段パスゲート２５（図１参照）及び区分棚１１に対応するゲート１６ａを開閉制御して紙葉類２の振り分けを行う。
【００２９】
制御手段６６は、供給制御手段６８，分離制御手段７０，第１の間隔測定手段７１，第２の間隔測定手段７２，搬送間隔記憶部６９，区分情報入力手段７３，振り分け制御手段６１及び間隔制御手段６７を制御するとともに、各種の演算処理を行う。
【００３０】
このような構成で、供給手段１に収納された紙葉類２は分離手段４で一枚ずつ分離されて搬送手段７に送り込まれる。なお、分離手段４は、区分棚１１において紙葉類２を振り分けるのに必要な紙葉類２の最小間隔に、搬送中に発生する間隔の変動を加えた間隔を分離最小ギャップとして紙葉類２を分離し搬送手段７に送り込む。
【００３１】
搬送手段７で搬送される紙葉類２は、検知手段５で、重送、曲げ剛性（硬さ）、厚さなどが検出される。これらの検出で区分けに不適格な紙葉類２が検出されると、その紙葉類２の搬送タイミング（一定時間後）に合わせて搬送ゲート２３が作動し、その紙葉類２をリジェクトボックス２４に排出する。
【００３２】
区分けに適した紙葉類２は、搬送装置７で整位部３へ搬送され、表示された区分記号が所定の経路を移動するように、そのスキューやシフトを修正する。さらに、読み取り手段９（宛名読み取り部９ａ、バーコード読み取り部９ｂ）で、郵便番号や宛名、バーコードが読み取られる。バーコードが表示されていない紙葉類２には、インクジェットプリンタ２２で、宛名読み取り部９ａで読み取られた情報に基づいて、バーコードが印刷される。このバーコードは、バーコード読み取り部９ｃで読み取られる。これらの情報は、区分情報として、区分情報入力手段７３に記憶される。
【００３３】
そして、搬送手段７によって搬送されている紙葉類２が、第１の間隔測定センサ２１Ａで検出されると、間隔測定センサ２１Ａの出力がＯＦＦになる。間隔測定センサ２１Ａを紙葉類２が通過すると間隔測定センサ２１Ａの出力がＯＮになる。
【００３４】
先行する紙葉類２Ａが第１の間隔測定センサ２１Ａを通過し、その出力がＯＮになると、第１の間隔測定手段７１が時間の計測を開始する。後続の紙葉類２Ｂが第１の間隔測定センサ２１Ａで検出され、間隔測定センサ２１Ａの出力がＯＦＦになると、第１の間隔測定手段７１は時間の計測を停止して搬送間隔記憶部６９に計測された時間を送る。
【００３５】
さらに、搬送手段７によって搬送されている先行する紙葉類２Ａが、第２の間隔測定センサ２１Ｂで検出されると間隔検出センサ２１Ｂの出力がＯＦＦになる。間隔測定センサ２１Ｂを紙葉類２Ａが通過すると間隔測定センサ２１Ｂの出力がＯＮになる。
【００３６】
先行する紙葉類２Ａが第２の間隔測定センサ２１Ｂを通過しの出力がＯＮになると、第２の間隔測定手段７２が時間の計測を開始する。後続の紙葉類２Ｂが第２の間隔測定センサ２１Ｂで検出され、間隔測定センサ２１Ｂの出力がＯＦＦになると、第２の間隔測定手段７２は時間の計測を停止して搬送間隔記憶部６９に計測された時間を送る。
【００３７】
紙葉類２Ｂが間隔調整手段１０に達すると、制御部６６は、搬送間隔記憶部６９に記憶された第１の間隔測定手段７１及び第２の間隔測定手段７２で測定したその紙葉類２Ａと紙葉類２Ｂとの間隔と、紙葉類２Ｂと２Ｃとの間隔と、紙葉類２Ｂ及び２Ｂの前後の紙葉類である紙葉類２Ａと紙葉類２Ｂとの区分先とから、間隔の調整量を算出し、その算出結果を間隔制御手段６７に印加する。なお、間隔の調整量の算出方法は後述する。
【００３８】
間隔制御手段６７は、図３に示すように、先行する紙葉類２Ａが通過した後、制御手段６６から印加された指令に基づいてローラ３０の回転速度を変化させ、後続の紙葉類２Ｂの送り速度を変えて、たとえば、図４に示すように、紙葉類２Ａ，２Ｂ間の間隔をＧａｐ２（ｎ）からＧａｐ２’（ｎ）へ調整する。
【００３９】
そして、間隔調整手段１０で間隔が調整された紙葉類２は、段パスゲート２５に送られる。振り分け制御手段６１は、間隔調整手段１０から送り込まれた紙葉類２が所要の段パスゲート２５に到達するタイミングで段パスゲート２５を開閉して、それぞれ紙葉類２に対応する区分搬送手段１６Ａ乃至１６Ｈに振り分ける。
【００４０】
さらに、振り分け制御手段６１は、区分搬送手段１６Ａ乃至１６Ｈのそれぞれの区分用ゲート１６ａを開閉して、搬送されてきた紙葉類２をそれぞれに対応する区分棚１１に収納させる。そして、なんらかの理由で区分棚１１に収容できなかった紙葉類２は、リジェクト用区分棚１１Ａに収容される。
【００４１】
次に、搬送間隔記憶部６９に記憶された第１の間隔測定手段７１及び第２の間隔測定手段７２で測定したその紙葉類２の前後の間隔と、その紙葉類の前後の紙葉類の区分先から、間隔の調整量を算出する方法について図４と図５を用いて詳述する。
【００４２】
図５に間隔調整量の算出フローチャートを示す。紙葉類２が間隔調整手段１０に達すると、まず、手順１００で区分情報入力手段７３に記憶されている区分情報から間隔を調整する紙葉類２Ｂが前の紙葉類２Ａと同一の区分搬送手段１６に設けられた区分棚に区分するかを調査する。もし、異なる区分搬送手段１６に設けられた区分棚に区分される場合は、処理は手順１０１に移り、紙葉類２Ａと２Ｂの目標間隔ＴＧｆを段パスゲート用目標間隔値ＧＰとする。紙葉類２Ｂは、段パスゲート２５を通過した後は紙葉類２の一枚分以上の間隔が確保されるので、段パスゲート２５より下流側の区分搬送手段１６における間隔変動を考慮する必要がないため、この目標値ＧＰは、段パスゲート２５で紙葉類２Ａ、２Ｂを仕分けるのに必要な間隔に少し余裕を持った設定値とする。
【００４３】
そして、手順１００で紙葉類２Ａ、２Ｂが同一区分搬送手段１６に設けられた区分棚に区分される場合は、処理は手順１０２に移り、紙葉類２Ａ、２Ｂが区分される区分棚１１のうち、上流側の区分棚番号（上流側から０〜２０）を選択する。これは、もし、紙葉類２Ａが区分される区分棚が紙葉類２Ｂが区分される区分棚よりも上流側であった場合、紙葉類２Ａが区分棚に収納されると、紙葉類２Ｂの間隔Ｇａｐ２は少なくとも紙葉類２の一枚分以上の間隔が確保される。また、紙葉類２Ｂが区分される区分棚が紙葉類２Ａが区分される区分棚よりも上流側にあった場合は、当然のことながら、紙葉類２Ｂが区分される区分棚に収容できる間隔を確保すればよいからである。
【００４４】
そして、処理は手順１０３に移り、区分搬送手段１６で生じる間隔変動量を考慮して紙葉類２Ａと２Ｂの目標間隔ＴＧｆを求める。次に、その目標間隔ＴＧｆの求め方について図１、図６及び図７を用いて述べる。
【００４５】
図６は区分搬送手段１６の最上流から最下流までの間隔変動量の特性を示す図、図７は区分棚番号と目標間隔補正値の関係の一例を示す図である。ここで、目標間隔補正値とは、第１と第２の間隔センサの間で縮まった紙葉類の間隔、つまり第１の間隔センサ２１Ａで測定した紙葉類間隔値Ｇ１と第２の間隔センサ２１Ｂで測定した紙葉類間隔値Ｇ２の差（Ｇ１−Ｇ２）から目標とする区分棚まで到達する際に更にどの程度縮むのかを後述する方法により決定される値である。
【００４６】
対応する区分棚までに区分搬送手段１６で生じる間隔変動量を考慮して紙葉類間の目標間隔ＴＧｆを求めるためには、まず、区分搬送手段１６の最上流から最下流までに生じる間隔変動量の特性を把握しておく必要がある。図６は、その区分搬送手段１６の最上流から最下流までにおける間隔変動量の特性の一例である。図６の特性は以下のように求める。
【００４７】
紙葉類２の厚さや材質が異なる多量のテスト紙葉類２を分離手段４で１通づつ分離し、第４の間隔測定センサ１５１の下流にある区分棚（番号２０）へ収納させる。その時のそれぞれの紙葉類間隔値を第１乃至第４の間隔測定センサ２１Ａ，２１Ｂ，１５０，１５１と第１、第２の間隔測定手段７１、７２及び図示しない第３、第４の間隔測定手段で測定する。そして、第１の間隔測定センサ２１Ａで測定した紙葉類間隔値Ｇ１と第２の間隔測定センサ２１Ｂで測定した紙葉類間隔値Ｇ２の差（Ｇ１−Ｇ２）を横軸にとり、第３の間隔測定センサ１５０で測定した紙葉類間隔値Ｇ３と第４の間隔測定センサ１５１で測定した紙葉類間隔値Ｇ４の差（Ｇ３−Ｇ４）を縦軸にとると、図６の黒丸で示すデータを得ることができる。
【００４８】
ほとんどの紙葉類は、第１間隔測定センサ２１Ａと第２間隔測定センサ２１Ｂ間で、紙葉類間隔が小さくなった（Ｇ１―Ｇ２が正）紙葉類は、さらに第３間隔測定センサ１５０と第４間隔測定センサ１５１間で紙葉類間隔が小さくなる（Ｇ３―Ｇ４が正）。しかし、その比例関係は一定でなく、Ｇ１―Ｇ２が小さい値であっても、Ｇ３―Ｇ４は大きい値を持つことがある。そのため、Ｇ１―Ｇ２の値を検出し、その値に一定値を乗算してＧ３―Ｇ４を予想し、その値を区分搬送手段１６で生じる間隔変動量として、紙葉類間隔の目標間隔を求めると、区分搬送手段１６を搬送される間に予想以上に紙葉類間隔が狭くなり、区分用ゲート１６ａを開閉することができなくなり、搬送されてきた紙葉類２をそれぞれに対応する区分棚１１に収納させることが不可能になることがある。
【００４９】
そこで、本発明では、図６に示すように黒丸で示したデータのほとんどを包含する折れ線２００を用いて区分搬送手段１６で生じる間隔変動量を予測する。紙葉類間の間隔が拡がる分には問題が生じないため、折れ線２００の値は、縦軸方向には常に０以上となっている。このように設定することにより、Ｇ１―Ｇ２の値を検出し、その値に一定値を乗算して区分搬送手段１６で生じる間隔変動量を予測することによる問題点を防止することができる。
【００５０】
また、図６のデータは、区分搬送手段１６の最上流から最下流までの間隔変動量を示しているが、先述したように紙葉類２が区分される区分棚に収納できるまでの間隔を確保すればよい。そこで、本発明では、折れ線２００を用いて、制御手段６０に図７に示すように、第１間隔センサ２１Ａと第２間隔測定センサ２１Ｂとの差Ｇ１―Ｇ２と区分棚番号に対応した目標間隔補正値を記憶しておく。
【００５１】
すなわち、手順１０３では、まず、搬送間隔記憶部６９に記憶された第１の間隔測定手段７１で測定した紙葉類２の間隔Ｇ１と第２の間隔測定手段７２で測定した紙葉類２の間隔Ｇ２（＝図４のＧａｐ２（ｎ））との差と手順１０２で取得した区分棚番号から目標間隔補正値を求める。例えば、Ｇ１―Ｇ２＝２ｍｍで区分棚番号が１６の場合、目標間隔補正値２２ｍｍを得る。そして、その目標間隔補正値に区分用ゲート１６ａを開閉するのに必要な間隔値Ｇｒを加えた値を目標間隔値ＴＧｆとする。なお、区分用ゲート１６ａを開閉するのに必要な間隔Ｇｒを間隔調整手段１０から区分棚番号０までの間隔変動量も考慮して決定するとさらに良い。
【００５２】
そして、図５の処理は手順１０４に移り、紙葉類２Ｂの間隔Ｇａｐ２（ｎ）から前の紙葉類２Ａの間隔調整量Ｘ（ｎ−１）を差し引き、新たな紙葉類２Ｂの間隔Ｇａｐ２（ｎ）とする。これは、第２の間隔測定センサ２１Ｂの位置で紙葉類２Ｂの間隔測定を行った後で、前の紙葉類２Ａの間隔調整が行われるので、紙葉類２Ｂの間隔Ｇａｐ２（ｎ）から紙葉類２Ａの間隔調整量を差し引いた値が間隔調整前の紙葉類２Ｂの真の間隔になるからである。
【００５３】
次に、処理は手順１０５に移り、間隔調整が必要か否かを調べる。すなわち、紙葉類２Ｂの目標間隔値ＴＧｆが現在の間隔であるＧａｐ２（ｎ）より大きいかを否かを調べる。もし、目標間隔値ＴＧｆの方が小さいときは、間隔調整は必要無いので手順１０６で間隔調整量Ｘ（ｎ）＝０として間隔制御手段６に印加して処理を終了する。
【００５４】
逆に現在の間隔値Ｇａｐ２（ｎ）の方が小さいときには、間隔調整が必要であるので、紙葉類２Ｂを遅らせることが可能かどうかを判断するために、手順１０７〜１１０により手順１００〜１０３と同様の処理を行って後ろの紙葉類２Ｃの目標間隔値ＴＧｂを演算する。
【００５５】
次に処理は手順１１１に移り、間隔調整が可能か否かを調べる。すなわち、紙葉類２Ｂの前後の間隔Ｇａｐ２（ｎ）＋Ｇａｐ２（ｎ＋１）よりも目標間隔ＴＧｆ＋ＴＧｂが小さい場合は、後ろの間隔に関係なく前の間隔を目標間隔ＴＧｆにすることができるので、処理は手順１１２に移り、紙葉類２Ｂの間隔調整量Ｘ（ｎ）として、目標間隔値ＴＧｆから紙葉類２Ｂの間隔Ｇａｐ２（ｎ）を差し引いた値を間隔制御手段６に印加して処理を終了する。
【００５６】
そして、手順１１１で間隔調整が不可能であると判断されたら、処理は手順１１３に移り、後ろの目標間隔ＴＧｂは確保できなくとも前の目標間隔ＴＧｆを確保できるか否かを調べる。すなわち、目標間隔ＴＧｆが紙葉類２Ｂの前後の間隔Ｇａｐ２（ｎ）とＧａｐ２（ｎ＋１）を加えた値より小さいかを調べる。なお、手順１１３におけるｍｊは紙葉類２Ｂと紙葉類２Ｃが衝突しないようにする余裕量である。そして、目標間隔ＴＧｆが紙葉類２Ｂの前後の間隔を加えた値よりも小さいのでＴＧｆが確保できると判断された場合は、処理は手順１１２に移り、紙葉類２Ｂの間隔調整量Ｘ（ｎ）として、目標間隔値ＴＧｆから紙葉類２Ｂの間隔Ｇａｐ２（ｎ）を差し引いた値を間隔制御手段６に印加して処理を終了する。
【００５７】
手順１１３で紙葉類２Ｂの前後の間隔が小さく目標間隔ＴＧｆが確保できないと判断された場合は、処理は手順１１４に移り、紙葉類２Ｂを少しでも遅らせることが可能か否か、すなわち紙葉類２Ｂを遅らせても紙葉類２Ｂと紙葉類２Ｃが衝突しないかを調べる。そこで、紙葉類２Ｂの後ろの間隔Ｇａｐ２（ｎ＋１）が余裕量ｍｊより大きいか否かを調べる。紙葉類２Ｂの後ろの間隔Ｇａｐ２（ｎ＋１）が余裕量ｍｊより小さいときには紙葉類２Ｂを遅らせることはできないので、処理は手順１０６に移り間隔調整量Ｘ（ｎ）＝０として、間隔制御手段６に印加して処理を終了する。
【００５８】
紙葉類２Ｂを遅らせることが可能であると判断されたら、処理は手順１１５に移り紙葉類２Ｂの後ろの間隔Ｇａｐ２（ｎ＋１）から余裕量ｍｊを差し引いた値を間隔調整量Ｘ（ｎ）として、間隔制御手段６に印加して処理を終了する。
【００５９】
このように、紙葉類２Ｂの前後の間隔Ｇａｐ２（ｎ）、Ｇａｐ２（ｎ＋１）を加えた間隔より、紙葉類２Ｂの前後の目標間隔値ＴＧｆ、ＴＧｂを加えた間隔の方が小さいときは問題無く目標間隔ＴＧfを確保できる。
【００６０】
また、Ｇａｐ２（ｎ）＋Ｇａｐ２（ｎ＋１）＜ＴＧｆ＋ＴＧｂの時でも目標間隔ＴＧｆを確保できる場合は、紙葉類２Ｂの後ろの間隔が目標間隔ＴＧｂより小さくなっても、目標間隔ＴＧｆを確保する。この場合、紙葉類２Ｂの後ろの間隔は目標間隔ＴＧｂより小さくなるが、これは、紙葉類２Ｃの間隔調整で目標間隔ＴＧｂを確保するようにできるので問題無い。
【００６１】
さらに、Ｇａｐ２（ｎ）＋Ｇａｐ２（ｎ＋１）＜ＴＧｆ＋ＴＧｂで、かつ、目標間隔ＴＧｆを確保できない場合であっても、少しでも紙葉類２Ｂの前の間隔を広げておくと、図６に示すデータのように、Ｇ１―Ｇ２が大きい値であってもＧ３―Ｇ４が小さい場合があり、区分用ゲート１６ａを開閉するのに必要な間隔を確保できる可能性がある。
【００６２】
以上のように、本発明によれば、間隔調整をする紙葉類と前後の紙葉類の区分棚の行き先及び紙葉類前後の間隔の変動値の予測を行って、紙葉類の目標間隔値を演算しているので、少しの間隔調整量で確実に紙葉類を区分棚に収納できる間隔値にできる。
【００６３】
なお、先の説明においては、図６に示す折れ線２００から図７に示す目標間隔補正値を制御手段６０にあらかじめ記憶しておくと述べたが、あるテスト紙葉類を搬送し、その時の第１〜第４間隔センサの検出結果から折れ線２００を自動的に演算し、図７の目標間隔補正値を自動的に制御手段６０に記憶させるようにすると、装置間バラツキを自動的に補正することができ、より好適である。また、定期的にテスト紙葉類を搬送し、折れ線２００の特性を演算し、初期の折れ線２００の特性と比較することにより、区分搬送手段１６の特性の劣化を監視することができ、例えば、ベルトを交換しなければならないタイミングが明確になる等の効果がある。
【００６４】
さらに、定期的にテスト紙葉類を搬送した結果に基づいて得た折れ線２００の特性を用いて、図７の目標間隔補正値を記憶し直すことによって、より最適な目標間隔補正値を得ることができる。
【００６５】
また、通常の仕分け作業における第１〜第４間隔センサの検出結果から折れ線２００を自動的に演算し、図７の目標間隔補正値を修正して自動的に制御手段６０に記憶させるようにすると、常に最適な目標間隔補正値を得ることができる。
【００６６】
さらに、図５の手順１００においては、前の紙葉類と同じ段であるか否かによって、目標間隔値を変えるようにしているが、それに加えて同一区分棚に収納させる場合は、別の基準で目標間隔値を定めてもよい。たとえば、はがき同士の場合は、紙葉類の剛性が高いので、間隔値を小さくしても不具合無く区分棚に収納ができる。
【００６７】
また、図５の処理においては、間隔調整が不可能であった場合（手順１１１以降）に、紙葉類２Ｂの前の間隔を優先的に考えて、できる限り広げる方法の処理を述べたが、紙葉類前後の目標間隔ＴＧｆ、ＴＧｂを紙葉類前後の間隔Ｇａｐ２（ｎ）、Ｇａｐ２（ｎ＋１）に比例配分しても、すなわち、
ＴＧｆ＝（Ｇａｐ２（ｎ）＋Ｇａｐ２（ｎ＋１））×ＴＧｆ／（ＴＧｆ＋ＴＧｂ）
ＴＧｂ＝（Ｇａｐ２（ｎ）＋Ｇａｐ２（ｎ＋１））×ＴＧｂ／（ＴＧｆ＋ＴＧｂ）
として、紙葉類の間隔を調整してもよい。
【００６８】
また、間隔調整量Ｘ（ｎ）は、０以上の値を取っているが、ＴＧｆがＧａｐ２（ｎ）よりも小さいときで、特にＴＧｂがＧａｐ２（ｎ＋１）よりも大きいときには、Ｘ（ｎ）を負、つまり紙葉類２Ｂを間隔調整手段１０により加速させ紙葉類の間隔を調整してもよい。
【００６９】
また、間隔調整手段１０の位置での紙葉類の間隔を第３の間隔測定センサの紙葉類の間隔の代わりに用い、先に述べた実施例と同様に折れ線２００から目標間隔補正値を求め記憶しておくことにより第３の間隔測定センサを省略することもできる。
【００７０】
【発明の効果】
本発明によれば、段パスゲートもしくは区分棚によって振り分けられる紙葉類の間隔を的確に維持することができるので、各ゲート部における搬送ジャムの発生を防止するとともに、リジェクトの発生による処理能力の低下を防止することができ、高信頼で、高速処理が可能な使用類の仕分け装置を実現することができる。
【図面の簡単な説明】
【図１】本発明による紙葉類の仕分け装置の斜視図である。
【図２】図１に示す紙葉類の仕分け装置の制御系統図である。
【図３】図１における間隔調整手段の構成図である。
【図４】間隔調整状態を示す図である。
【図５】間隔調整量の算出フローチャートを示す図である。
【図６】区分搬送路における紙葉類間隔特性を示す図である。
【図７】制御手段に記憶されている目標間隔補正値である。
【符号の説明】
１…供給手段、２…紙葉類、４…分離手段、７…搬送手段、９…読み取り手段、１０…間隔調整手段、１１…区分棚、１６Ａ〜１６Ｈ…区分搬送手段、１６ａ…区分用ゲート、２１Ａ…第１の間隔測定センサ、２１Ｂ…第２の間隔測定センサ、２５…段パスゲート、６０…制御手段、６１…振り分け制御手段、６７…間隔制御手段、６８…供給制御手段、７０…分離制御手段、７３…区分情報入力手段、１５０…第３の間隔測定センサ、１５１…第４の間隔測定センサ。
【図１】
0003848769.tif 000002
【図２】
0003848769.tif 000003
【図３】
0003848769.tif 000004
【図４】
0003848769.tif 000005
【図５】
0003848769.tif 000006
【図６】
0003848769.tif 000007
【図７】
0003848769.tif 000008